(57)【要約】【課題】鏡筒成形時に生じるバリに起因するフィルタの取り付け不良を防止できる鏡筒、レンズユニット、カメラモジュール、鏡筒製造方法および鏡筒成形用金型を提供する。【解決手段】本発明の鏡筒１２は、最も像側に位置されるレンズ１７を支持する支持部２４を備え、支持部２４は、物体側に面して最も像側に位置されるレンズ１７を支持するレンズ支持面２４ａと、像側に面してフィルタ１００を取り付けるためのフィルタ取り付け面２４ｂとを有する。フィルタ取り付け面２４ｂには、鏡筒成形時に生じるバリをフィルタ取り付け面２４ｂに取り付けられるフィルタ１００と接触しないように逃がすための逃げ部４０が設けられる。【選択図】図１
2020129020.tif 000002
【特許請求の範囲】
【請求項１】
金型により略筒状に成形されるとともに、その内側収容空間内に複数のレンズから成るレンズ群を光軸に沿って並べて組み込むようになっている鏡筒であって、
最も像側に位置されるレンズを支持する支持部を備え、前記支持部は、物体側に面して前記最も像側に位置されるレンズを支持するレンズ支持面と、像側に面してフィルタを取り付けるためのフィルタ取り付け面とを有し、前記フィルタ取り付け面には、鏡筒成形時に生じるバリを前記フィルタ取り付け面に取り付けられる前記フィルタと接触しないように逃がすための逃げ部が設けられることを特徴とする鏡筒。
【請求項２】
前記逃げ部は、前記フィルタ取り付け面のフィルタ取り付け領域から段差を介して前記支持部の径方向内側端部へと延びる溝であることを特徴とする請求項１に記載の鏡筒。
【請求項３】
前記支持部の径方向内側端縁には、前記金型の可動入れ子が当て付くことにより形成される光軸と平行に延びる平面部が像側に面して設けられることを特徴とする請求項１または２に記載の鏡筒。
【請求項４】
複数のレンズが当該レンズの光軸に沿って並べられて成るレンズ群と、このレンズ群が収納される鏡筒とを備えるレンズユニットであって、
前記鏡筒は、金型により略筒状に成形されて、その内側収容空間内に前記レンズ群を組み込むようになっているとともに、最も像側に位置されるレンズを支持する支持部を備え、前記支持部は、物体側に面して前記最も像側に位置されるレンズを支持するレンズ支持面と、像側に面してフィルタを取り付けるためのフィルタ取り付け面とを有し、前記フィルタ取り付け面には、鏡筒成形時に生じるバリを前記フィルタ取り付け面に取り付けられる前記フィルタと接触しないように逃がすための逃げ部が設けられることを特徴とするレンズユニット。
【請求項５】
請求項４に記載のレンズユニットを備えることを特徴とするカメラモジュール。
【請求項６】
鏡筒を成形するために、固定側金型部と、可動側金型部と、複数のレンズから成るレンズ群が組み付けられて収容される前記鏡筒の内側収容空間の成形に供する可動側入れ子と、前記固定側金型部に対して移動可能であるとともに前記可動側入れ子との間で分割面を形成する固定側入れ子とによって溶融材料が流し込まれるキャビティを画定する鏡筒成形用金型を用意するステップと、
前記固定側入れ子を前記固定側金型部に対して移動させて前記可動側入れ子と前記固定側入れ子との間の突き当て調整を行ないつつ前記鏡筒成形用金型を組み付けるステップと、
前記キャビティ内に溶融材料を流し込むことにより前記鏡筒を成形するステップと、
成形された前記鏡筒を前記金型から押し出すステップと、
を含むことを特徴とする鏡筒製造方法。
【請求項７】
前記鏡筒は、最も像側に位置されるレンズを支持する支持部を備え、前記支持部は、物体側に面して前記最も像側に位置されるレンズを支持するレンズ支持面と、像側に面してフィルタを取り付けるためのフィルタ取り付け面とを有し、前記フィルタ取り付け面には、鏡筒成形時に生じるバリを前記フィルタ取り付け面に取り付けられる前記フィルタと接触しないように逃がすための逃げ部が設けられ、
前記固定側金型部は、前記逃げ部を前記鏡筒に形成するための凸部を有する、
ことを特徴とする請求項６に記載の鏡筒製造方法。
【請求項８】
鏡筒を成形するための鏡筒成形用金型であって、
固定側金型部と、可動側金型部と、複数のレンズから成るレンズ群が組み付けられて収容される前記鏡筒の内側収容空間の成形に供する可動側入れ子と、前記固定側金型部に対して移動可能であるとともに前記可動側入れ子との間で分割面を形成する固定側入れ子とによって溶融材料が流し込まれる鏡筒成形用キャビティを画定し、
前記固定側入れ子を前記固定側金型部に対して移動させることによって前記可動側入れ子と前記固定側入れ子との間の突き当て調整を行なえることを特徴とする鏡筒成形用金型。
【請求項９】
前記鏡筒は、最も像側に位置されるレンズを支持する支持部を備え、前記支持部は、物体側に面して前記最も像側に位置されるレンズを支持するレンズ支持面と、像側に面してフィルタを取り付けるためのフィルタ取り付け面とを有し、前記フィルタ取り付け面には、鏡筒成形時に生じるバリを前記フィルタ取り付け面に取り付けられる前記フィルタと接触しないように逃がすための逃げ部が設けられ、
前記固定側金型部は、前記逃げ部を前記鏡筒に形成するための凸部を有する、
ことを特徴とする請求項８に記載の鏡筒成形用金型。
【発明の詳細な説明】
【技術分野】
【０００１】
本発明は、特に自動車等の車両に搭載される車載カメラを構成する鏡筒、レンズユニット、カメラモジュール、鏡筒製造方法および鏡筒成形用金型に関する。
【背景技術】
【０００２】
近年、自動車に車載カメラを搭載し、駐車をサポートしたり、画像認識により衝突防止を図ったりすることが行なわれており、さらにそれを自動運転に応用する試みもなされている。また、このような車載カメラ等のカメラモジュールは、一般に、複数のレンズが光軸に沿って並べられて成るレンズ群と、このレンズ群を収容保持する鏡筒と、レンズ群の少なくとも一個所のレンズ間に配置される絞り部材とを有するレンズユニットを備える（例えば、特許文献１参照）。
【先行技術文献】
【特許文献】
【０００３】
【特許文献１】特開２０１３−２３１９９３号公報
【発明の概要】
【発明が解決しようとする課題】
【０００４】
前述したレンズユニットの鏡筒は、通常、金型内に溶融材料を流し込んで成形される。具体的には、図６に示されるような金型２００を用いて成形することも考えられる。この図６に示される金型２００は、その本体が固定側金型部２０２と可動側金型部２０４とに分割されるとともに、レンズが組み付けられて収容される鏡筒２１０の内側収容空間Ｓの良好な真円度を得るべく、内側収容空間Ｓの成形に供するピン状の入れ子２０６が金型本体２０２，２０４とは別個に設けられ、結果として、金型２００は、組み付けられた際、固定側金型部２０２と、可動側金型部２０４と、固定側および可動側のそれぞれの入れ子２０６，２０８とによって、溶融材料が流し込まれるキャビティＣを画定する。
【０００５】
そして、このような金型２００により成形された鏡筒２１０は、図７に示されるように、その内側収容空間Ｓ内にレンズ群２２０が組み込まれて収容保持された状態で、その物体側の端部（図７において上端部）のカシメ部２２３が径方向内側にカシメられることにより、レンズ群２２０の最も物体側に位置されるレンズ２２０ａをこのカシメ部２２３で鏡筒２１０の物体側端部に固定する。
【０００６】
また、鏡筒２１０の像側の端部（図７において下端部）には、最も像側に位置されるレンズ２２０ｅよりも径の小さい開口部を有する内側フランジ部（最も像側に位置されるレンズ２２０ｅを支持する支持部）２２４が設けられており、この内側フランジ部２２４とカシメ部２２３とにより、レンズ群２２０を構成する複数のレンズ２２０ａ、２２０ｂ、２２０ｃ、２２０ｄ，２２０ｅが鏡筒２１０内に保持されるようになっている。そして、このようにしてレンズ群２２０が鏡筒２１０に組み付けられて保持された後、最も像側に位置されるレンズ２２０ｅを支持する内側フランジ部２２４の支持面２２４ａとは反対側の像側を向く取り付け面２２４ｂに赤外線カットフィルタ１００が取り付けられる。
【０００７】
ところで、図６に示されるような金型２００の構造は、鏡筒２１０の内側フランジ部２２４の端部付近にバリが生じてしまうことを抑制できるという点で非常に有利である。すなわち、図６に示される金型２００では、可動側の入れ子２０６に対する固定側の入れ子２０８の突き当て調整を可能にするべく固定側の入れ子２０８を固定側金型部２０２とは別個に設けて移動可能（移動方向が図８に矢印で示される）にしているため、図８に拡大して示されるように、固定側および可動側のそれぞれの入れ子２０６，２０８同士の間の分割面（パーティング面）２３０の存在に起因して、Ｐ部で示される領域、すなわち、鏡筒２１０の内側フランジ部２２４の端部付近で成形後の鏡筒２１０にバリが生じることを抑制できる。
【０００８】
しかしながら、このように金型２００の固定側を移動可能な入れ子２０８と固定側金型部２０２とに分割すると、これらの分割面２４０の存在に起因して、図９に示されるＱ部領域、すなわち、鏡筒２１０の内側フランジ部２２４の端部の像側部位から赤外線カットフィルタ１００が取り付けられる内側フランジ部２２４の取り付け面２２４ｂへと至る鏡筒部位にバリが生じてしまうという新たな問題が生じる。
【０００９】
鏡筒２１０の内側フランジ部２２４の端部の像側部位から赤外線カットフィルタ１００が取り付けられる内側フランジ部２２４の取り付け面２２４ｂへと至る鏡筒部位に生じるこのようなバリは、内側フランジ部２２４の取り付け面２２４ｂに対する赤外線カットフィルタ１００の取り付け不良（フィルタ１００を取り付け面２２４ｂに接着するための接着剤の接着不良や、フィルタの部分的な剥がれなど）をもたらす。
【００１０】
本発明は、前記事情に鑑みてなされたものであり、鏡筒成形時に生じるバリに起因するフィルタの取り付け不良を防止できる鏡筒、レンズユニット、カメラモジュール、鏡筒製造方法および鏡筒成形用金型を提供することを目的とする。
【課題を解決するための手段】
【００１１】
前記課題を解決するために、本発明は、金型により略筒状に成形されるとともに、その内側収容空間内に複数のレンズから成るレンズ群を光軸に沿って並べて組み込むようになっている鏡筒であって、
最も像側に位置されるレンズを支持する支持部を備え、前記支持部は、物体側に面して前記最も像側に位置されるレンズを支持するレンズ支持面と、像側に面してフィルタを取り付けるためのフィルタ取り付け面とを有し、前記フィルタ取り付け面には、鏡筒成形時に生じるバリを前記フィルタ取り付け面に取り付けられる前記フィルタと接触しないように逃がすための逃げ部が設けられることを特徴とする。
【００１２】
本発明においては、鏡筒の支持部のフィルタ取り付け面に、鏡筒成形時に生じるバリをフィルタ取り付け面に取り付けられるフィルタと接触しないように逃がすための逃げ部が設けられるため、鏡筒成形時に生じるバリに起因するフィルタ取り付け面に対するフィルタの取り付け不良を防止できる。すなわち、ＵＶ硬化接着剤などの接着剤によりフィルタをフィルタ取り付け面に接着する場合であっても、前記逃げ部の存在に起因してフィルタがバリの影響を受けずに済み、接着剤の接着不良や、フィルタの部分的な剥がれ等を防止できる。これは、特に、金型の固定側を移動可能な入れ子と固定側金型部とに分割する金型構成を採用する場合に有益である。すなわち、金型の固定側を移動可能な入れ子と固定側金型部とに分割すると、図９に関連して前述したように、これらの分割面の存在に起因して、鏡筒の支持部（内側フランジ部）の端部の像側部位からフィルタが取り付けられる支持部の取り付け面へと至る鏡筒部位にバリが生じてしまうが、このバリが前記逃げ部によってフィルタと接触しないように逃がされるため、バリによって取り付け不良を生じさせることなくフィルタをフィルタ取り付け面に強固に取り付けることができる。また、このように固定側に移動可能な可動入れ子を設けると、前記支持部の径方向内側端縁には、可動入れ子が当て付くことにより形成される光軸と平行に延びる平面部が像側に面して設けられるようになる。
【００１３】
なお、上記構成において、支持部のフィルタ取り付け面に取り付けられるフィルタとしては、例えば赤外線カットフィルタのみならず特定の波長帯域の光線のカットフィルタなど、必要に応じて任意のフィルタを使用できる。また、上記構成において、フィルタ取り付け面は、平滑面、シボ加工されたシボ面、リブ付き面など、任意の形態を成すことができ、フィルタ取り付け面に設けられる前記逃げ部は、凹陥溝などの形態を成すことができる。
【００１４】
また、本発明において、逃げ部は、フィルタ取り付け面のフィルタ取り付け領域から段差を介して支持部の径方向内側端部へと延びる溝であることが好ましい。これによれば、前述した金型の固定側の移動可能な入れ子と固定側金型部との間の分割面の存在に起因して生じるバリを効果的に逃がすことができる。この場合、段差は、例えば０．０５〜０．１ｍｍの高さの段差であることが好ましい。このような深さの段差であれば、フィルタ取り付け面に対してフィルタを固着するための接着剤が逃げ部に回り込んで接着強度を低下させることがなく、フィルタ取り付け領域の全体にわたって接着剤を十分に行き渡らせて、十分な接着強度を確保できる。
【００１５】
また、本発明は、前述した鏡筒の特徴的な構成を有するレンズユニット、カメラモジュール、鏡筒製造方法および鏡筒成形用金型も提供する。このような構成のレンズユニット、カメラモジュール、鏡筒製造方法および鏡筒成形用金型によっても前述した鏡筒の作用効果を得ることができる。
【００１６】
特に、本発明は、鏡筒を成形するために、固定側金型部と、可動側金型部と、複数のレンズから成るレンズ群が組み付けられて収容される鏡筒の内側収容空間の成形に供する可動側入れ子と、固定側金型部に対して移動可能であるとともに可動側入れ子との間で分割面を形成する固定側入れ子とによって溶融材料が流し込まれる鏡筒成形用キャビティを画定し、固定側入れ子を固定側金型部に対して移動させることによって可動側入れ子と固定側入れ子との間の突き当て調整を行なえるようにする、鏡筒製造方法および鏡筒成形用金型を提供する。このように、可動側入れ子に対する固定側入れ子の突き当て調整を可能にするべく固定側入れ子を固定側金型部とは別個に設けて移動可能にすれば、図８に関連して前述したように、固定側入れ子と可動側入れ子との間の分割面の存在に起因して鏡筒の支持部の端部付近で成形後の鏡筒にバリが生じることを抑制できる。
【発明の効果】
【００１７】
本発明によれば、鏡筒の支持部のフィルタ取り付け面に、鏡筒成形時に生じるバリをフィルタ取り付け面に取り付けられるフィルタと接触しないように逃がすための逃げ部が設けられるため、鏡筒成形時に生じるバリに起因するフィルタ取り付け面に対するフィルタの取り付け不良を防止できる。
【図面の簡単な説明】
【００１８】
【図１】本発明の一実施の形態に係るレンズユニットの概略断面図である。
【図２】図１のレンズユニットを有する本発明の一実施の形態に係るカメラモジュールの概略断面図である。
【図３】図１のレンズユニットを構成する鏡筒を成形するための鏡筒成形用金型の概略断面図である。
【図４】図３のＡ部の拡大断面図である。
【図５】鏡筒を製造するための製造工程の流れ（鏡筒製造方法）を示すフローチャートである。
【図６】従来の鏡筒成形用金型の概略断面図である。
【図７】図６の金型を用いて成形された鏡筒を有する従来のレンズユニットの概略断面図である。
【図８】図６のＢ部の拡大断面図である。
【図９】図６のＢ部の拡大断面図である。
【発明を実施するための形態】
【００１９】
以下、図面を参照しながら本発明の実施の形態について説明する。
なお、以下で説明される本実施の形態のレンズユニットは、特に車載カメラ等のカメラモジュール用のものであり、例えば、自動車の外表面側に固定して設置され、配線は自動車内に引き込まれてディスプレイやその他の装置に接続される。また、図１および図２において複数のレンズについてはハッチングを省略している（前述した図７についても同様）。
【００２０】
図１は、本発明の一実施の形態に係るレンズユニットを示している。図示のように、本実施の形態のレンズユニット１１は、略筒状、例えば円筒状を成す樹脂製の鏡筒（バレル）１２と、鏡筒１２の段付きの内側収容空間Ｓ内に配置される複数（例えば、５つ）のレンズ１３，１４，１５，１６，１７と、２つの絞り部材２２ａ，２２ｂとを備えている。このレンズユニット１１を備える車載カメラは、レンズユニット１１と、図示しないイメージセンサを有する基板と、当該基板を自動車等の車両に設置する図示しない設置部材とを備えるものである。
【００２１】
鏡筒１２に固定されて支持されている複数のレンズ１３，１４，１５，１６，１７は、それぞれの光軸を一致させた状態に配置されており、１つの光軸Ｏに沿って各レンズ１３，１４，１５，１６，１７が並べられた状態となって、撮像に用いられる一群のレンズ群Ｌを構成している。なお、これらのレンズの表面には、必要に応じて、反射防止膜、親水膜、撥水膜等が設けられる。
【００２２】
２つの絞り部材２２ａ，２２ｂのうちの物体側から１番目の絞り部材２２ａは、物体側から２番目のレンズ１４と３番目のレンズ１５との間に配置されている。物体側から２番目の絞り部材２２ｂは、物体側から３番目のレンズ１５と４番目のレンズ１６との間に配置されている。絞り部材２２ａ，２２ｂは透過光量を制限し、明るさの指標となるＦ値を決定する「開口絞り」またはゴーストの原因となる光線や収差の原因となる光線を遮光する「遮光絞り」である。
【００２３】
鏡筒１２の物体側の端部（図１において上端部）には、当該端部を径方向内側にカシメてなるカシメ部２３が設けられており、このカシメ部２３によってレンズ群Ｌの最も物体側に位置されるレンズ１３が鏡筒１２の物体側の端部に固定されている。なお、本実施の形態において、最も物体側に位置されるレンズ１３はガラスレンズであり、その他のレンズは樹脂レンズであるが、これに限らない。
【００２４】
また、鏡筒１２の像側の端部（図１において下端部）には、レンズ１７よりも径の小さい開口部を有する内側フランジ部２４が設けられている。この内側フランジ部２４とカシメ部２３とにより、鏡筒１２内にレンズ群Ｌを構成する複数のレンズ１３、１４、１５、１６，１７と絞り部材２２ａ，２２ｂとが保持されている。
【００２５】
最も物体側に位置するレンズ１３の外周面には、当該レンズ１３の像面側部分に径が小さくなった縮径部が設けられ、当該縮径部にシール部材としてのＯリング２６が設けられ、レンズ１３の外周面と鏡筒１２の内周面との間を、鏡筒１２の物体側端部で封止した状態となっている。これにより、レンズユニット１１の物体側の端部から鏡筒１２内に水や塵埃等の微粒子が浸入するのを防止している。なお、鏡筒１２の内部には物体側において円筒状の内壁１２ｂが設けられ、この内壁１２ｂと外壁１２ａとの間に環状体２７が設けられ、この環状体２７にＯリング２６が密接している。
【００２６】
鏡筒１２は、その内径が物体側から像面側に向かって段階的に小さくなっている。これに対応して、レンズ１３，１４，１５，１６，１７は、物体側から像面側に向かうにつれて、外径が小さくなっている。基本的に、レンズ１３，１４，１５，１６，１７それぞれの外径と、鏡筒１２の各レンズ１３，１４，１５，１６，１７が支持される部分それぞれの内径とは略等しくなっている。なお、鏡筒１２の外周面には、鏡筒１２を車載カメラに設置する際に用いられる外側フランジ部２５が鏡筒１２の外周面に鍔状に設けられている。
【００２７】
また、図２は、図１のレンズユニット１１を有する本実施の形態のカメラモジュール３００の概略断面図である。図示のように、カメラモジュール３００は、赤外線カットフィルタ１００が装着されたレンズユニット１１を含んで構成されている。
【００２８】
カメラモジュール３００は、外装部品である上ケース（カメラケース）３０１と、レンズユニット１１を保持するマウント（台座）３０２とを備えている。また、カメラモジュール３００は、シール部材３０３およびパッケージセンサ（撮像素子）３０４を備えている。
【００２９】
上ケース３０１は、レンズユニット１１の物体側の端部を露出させるとともに他の部分を覆う部材である。マウント３０２は、上ケース３０１の内部に配置されており、レンズユニット１１の雄ねじ１１ａと螺合する雌ねじ３０２ａを有する。シール部材３０３は、上ケース３０１の内面とレンズユニット１１の鏡筒１２の外周面１２ａとの間に介挿された部材であり、上ケース３０１の内部の気密性を保持するための部材である。
【００３０】
パッケージセンサ３０４は、マウント３０２の内部に配置されており、かつ、レンズユニット１１により形成される物体の像を受光する位置に配置されている。また、パッケージセンサ３０４は、ＣＣＤやＣＭＯＳ等を備えており、レンズユニット１１を通じて集光されて到達する光を電気信号に変換する。変換された電気信号は、カメラにより撮影された画像データの構成要素であるアナログデータやデジタルデータに変換される。
【００３１】
以上のようなカメラモジュール３００のレンズユニット１１を構成する鏡筒１２は、金型により略筒状に成形されるが、前述した内側フランジ部２４が最も像側に位置されるレンズ１７を支持する支持部を構成する。この場合、内側フランジ部２４は、物体側に面して最も像側に位置されるレンズ１７を支持するレンズ支持面２４ａと、像側に面して赤外線カットフィルタ１００を取り付けるためのフィルタ取り付け面２４ｂとを有する。そして、本実施の形態の鏡筒１２は、その特徴的な構成として、フィルタ取り付け面２４ｂに、鏡筒成形時に生じるバリをフィルタ取り付け面２４ｂに取り付けられるフィルタ１００と接触しないように逃がすための逃げ部４０を有する。この逃げ部４０は、本実施形態では、図４にも拡大して明確に示されるように、フィルタ取り付け面２４ｂのフィルタ取り付け領域４２から段差４３を介して内側フランジ部２４の径方向内側端部２４ｄへと延びる溝として形成される。この場合、段差４３は０．０５〜０．１ｍｍの高さ（深さ）を有する。
【００３２】
また、このような鏡筒１２は、図３に示されるような金型３０内に溶融材料を流し込むことによって成形される。具体的に、この図３の例では、金型３０の本体が固定側金型部３２と可動側金型部３４とに分割されるとともに、レンズ群Ｌ（レンズ１３，１４，１５，１６，１７）が組み付けられて収容される鏡筒１２の内側収容空間Ｓの良好な真円度を得るべく、内側収容空間Ｓの成形に供するピン状の入れ子３６が金型本体３２，３４とは別個に設けられ、結果として、金型３０は、組み付けられた際、固定側金型部３２と、可動側金型部３４と、固定側および可動側のそれぞれの入れ子３６，３８とによって、溶融材料が流し込まれるキャビティＣを画定する。すなわち、金型３０は、固定側金型部３２と、可動側金型部３４と、鏡筒１２の内側収容空間Ｓの成形に供する可動側入れ子３６と、固定側金型部３２に対して移動可能であるとともに可動側入れ子３６との間で分割面３９を形成する固定側入れ子３８とによって溶融材料が流し込まれる鏡筒成形用キャビティＣを画定する。そして、この金型３０は、固定側入れ子３８を固定側金型部３２に対して移動させる（移動方向が図３に矢印により示される）ことによって可動側入れ子３６と固定側入れ子３８との間の突き当て調整（互いの突き当て面３６ａ，３８ａ同士の離間距離を調整）を行なえるようになっているとともに、前述した逃げ部４０を鏡筒１２に形成するための凸部３２ａを固定側金型部３２に有する。なお、このように金型３０の固定側に移動可能な固定側入れ子３８を設けると、内側フランジ部２４の径方向内側端縁には、図４にも拡大して明確に示されるように、固定側入れ子３８が当て付くことにより形成される光軸Ｏと平行に延びる平面部２４ｃが像側に面して設けられるようになる。
【００３３】
次に、このような金型３０を用いて鏡筒１２を成形する手順の一例について図５を参照しながら簡単に説明する。  
まず、前述した鏡筒１２を成形するために、固定側金型部３２と、可動側金型部３４と、レンズ群Ｌが組み付けられて収容される鏡筒１２の内側収容空間Ｓの成形に供する可動側入れ子３６と、固定側金型部３２に対して移動可能であるとともに可動側入れ子３６との間で分割面３９を形成する固定側入れ子３８とによって溶融材料が流し込まれるキャビティを画定する前述した金型３０を用意する（図５のステップＳ１）。続いて、固定側入れ子３８を固定側金型部３２に対して移動させて可動側入れ子３６と固定側入れ子３８との間の突き当て調整を行ないつつ金型３０を組み付ける（ステップＳ２）。このとき、図３および図４に示されるように、前述した逃げ部４０を鏡筒１２に形成するための固定側金型部３２の凸部３２ａが、鏡筒１２の内側フランジ部２４のフィルタ取り付け面２４ｂの成形位置でキャビティＣに面する。
【００３４】
その後、キャビティＣに溶融材料を流し込むことにより、逃げ部４０が内側フランジ部２４のフィルタ取り付け面２４ｂに形成されて成る鏡筒１２を成形する（ステップＳ３）。そして、このようにして鏡筒１２が成形されたら、今度は、外側フランジ部２５の成形部位にある押し出しピン（図示せず）によって成形品としての鏡筒１２を固定側金型部３２から押し出す（ステップＳ４）。
【００３５】
金型３０から抜き出された成形品としての鏡筒１２は、その内側フランジ部２４のフィルタ取り付け面２４ｂに前述した逃げ部４０を有するとともに、像側に面する内側フランジ部２４の径方向内側端縁に、固定側入れ子３８が当て付くことにより形成される光軸Ｏと平行に延びる平面部２４ｃを有するようになる。また、このようにして成形された鏡筒１２の内側収容空間Ｓ内には、その後、レンズ群Ｌが組み込まれ、前述したように内側フランジ部２４とカシメ部２３とによってレンズ群Ｌを構成する複数のレンズ１３、１４、１５、１６，１７と絞り部材２２ａ，２２ｂとが保持される。そして、このようにしてレンズ群Ｌが鏡筒１２に組み付けられて保持された後、内側フランジ部２４のフィルタ取り付け面２４ｂに赤外線カットフィルタ１００が例えばＵＶ硬化接着剤などの接着剤を用いて取り付けられる。このとき、フィルタ取り付け面２４ｂには逃げ部４０が設けられているため、固定側金型部３２と固定側入れ子３８との間の分割面４１（図４参照）の存在に起因して成形時に生じるバリがフィルタ１００の取り付け状態に悪影響を及ぼすことはない。
【００３６】
以上説明したように、本実施の形態によれば、鏡筒１２の支持部としての内側フランジ部２４のフィルタ取り付け面２４ｂに、鏡筒成形時に生じるバリをフィルタ取り付け面２４ｂに取り付けられるフィルタ１００と接触しないように逃がすための逃げ部４０が設けられるため、鏡筒成形時に生じるバリに起因するフィルタ取り付け面２４ｂに対するフィルタ１００の取り付け不良を防止できる。すなわち、本実施の形態のようにＵＶ硬化接着剤などの接着剤によりフィルタ１００をフィルタ取り付け面２４ｂに接着する場合であっても、逃げ部４０の存在に起因してフィルタ１００がバリの影響を受けずに済み、接着剤の接着不良や、フィルタ１００の部分的な剥がれ等を防止できる。このことは、特に、本実施の形態のように金型３０の固定側を移動可能な入れ子３８と固定側金型部３２とに分割する金型構成を採用する場合に有益である。すなわち、金型３０の固定側を移動可能な入れ子３８と固定側金型部３２とに分割すると、これらの分割面４１の存在に起因して、鏡筒１２の内側フランジ部２４の端部の像側部位からフィルタ１００が取り付けられる内側フランジ部２４のフィルタ取り付け面２４ｂへと至る鏡筒部位にバリが生じてしまうが、このバリが逃げ部４０によってフィルタ１００と接触しないように逃がされるため、バリによって取り付け不良を生じさせることなくフィルタ１００をフィルタ取り付け面２４ｂに強固に取り付けることができる。
【００３７】
また、本実施の形態において、逃げ部４０は、フィルタ取り付け面２４ｂのフィルタ取り付け領域４２から段差４３を介して内側フランジ部２４の径方向内側端部２４ｄへと延びる溝として形成されているため、金型３０の固定側の移動可能な入れ子３８と固定側金型部３２との間の分割面４１の存在に起因して生じるバリを効果的に逃がすことができる。また、この場合、段差４３は、０．０５〜０．１ｍｍの高さの段差として形成されているため、フィルタ取り付け面２４ｂに対してフィルタ１００を固着するための接着剤が逃げ部４０に回り込んで接着強度を低下させることがなく、フィルタ取り付け領域４２の全体にわたって接着剤を十分に行き渡らせて、十分な接着強度を確保できる。
【００３８】
また、本実施の形態において、鏡筒１２を成形するための金型３０は、可動側入れ子３６に対する固定側入れ子３８の突き当て調整を可能にするべく固定側入れ子３８が固定側金型部３２に対して移動できるようになっている。そのため、固定側入れ子３８と可動側入れ子３６との間の分割面３９の存在に起因して鏡筒１２の内側フランジ部２４の端部付近で成形後の鏡筒１２にバリが生じることを抑制できる。
【００３９】
なお、本発明は、前述した実施の形態に限定されず、その要旨を逸脱しない範囲で種々変形して実施できる。例えば、本発明において、レンズ、鏡筒１２などの形状、逃げ部４０および凸部３２ａの形状は、前述した実施の形態に限定されない。また、内側フランジ部２４のフィルタ取り付け面２４ｂに取り付けられるフィルタも赤外線カットフィルタに限定されない。また、本発明の要旨を逸脱しない範囲内において、前述した実施の形態の一部または全部を組み合わせてもよく、あるいは、前述した実施の形態のうちの１つから構成の一部が省かれてもよい。
【符号の説明】
【００４０】
１１  レンズユニット
１２  鏡筒
１３，１４，１５，１６，１７  レンズ
２４  内側フランジ部（支持部）
２４ａ  レンズ支持面
２４ｂ  フィルタ取り付け面
２４ｃ  平面部
２４ｄ  径方向内側端部
３０  金型（鏡筒成形用金型）
３２  固定側金型部
３２ａ  凸部
３４  可動側金型部
３６  可動側入れ子
３８  固定側入れ子
３９  分割面
４０  逃げ部
４１  分割面
４２  フィルタ取り付け領域
４３  段差
Ｃ  キャビティ
Ｏ  光軸
Ｌ  レンズ群
Ｓ  内側収容空間
【図１】
2020129020.tif 000003
【図２】
2020129020.tif 000004
【図３】
2020129020.tif 000005
【図４】
2020129020.tif 000006
【図５】
2020129020.tif 000007
【図６】
2020129020.tif 000008
【図７】
2020129020.tif 000009
【図８】
2020129020.tif 000010
【図９】
2020129020.tif 000011